(57)【要約】【課題】記録ヘッドのメンテナンスを適切に行う。【解決手段】記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、を備え、前記記録ヘッドは、前記メディアに記録が実行される記録領域と、前記搬送方向に交差する幅方向において前記記録領域と隣り合う退避領域と、に移動可能であり、前記退避領域には、前記退避領域の外部から入射する光を前記ノズル面に向けて反射する反射部が設けられている。【選択図】図６
2019155709.tif 000002
【特許請求の範囲】
【請求項１】
搬送方向に搬送されるメディアの裏面を支持する支持面を有する支持部と、
前記支持面に対向し、前記メディアの表面に液滴を吐出するための複数の孔を有するノズル面を有する記録ヘッドと、を備え、
前記記録ヘッドは、
前記メディアに記録が実行される記録領域と、前記搬送方向に交差する幅方向において前記記録領域と隣り合う退避領域と、に移動可能であり、
前記退避領域には、
前記退避領域の外部から入射する光を、当該退避領域に退避した前記ノズル面に向けて反射する反射部が設けられていることを特徴とする記録装置。
【請求項２】
請求項１に記載の記録装置において、
前記反射部は、ハーフミラーであることを特徴とする記録装置。
【請求項３】
請求項１又は２に記載の記録装置において、
前記反射部は、凹面鏡であることを特徴とする記録装置。
【請求項４】
請求項１乃至３のいずれか一項に記載の記録装置において、
前記退避領域は、箱状の筐体の内部に位置し、
前記筐体には、
前記ノズル面と直交する直交方向に設けられ、前記ノズル面を視認可能な開口と、
前記反射部を回動可能に支持する支軸が貫通する孔部と、が設けられ、
前記反射部は、
前記支軸のうち前記孔部を介して前記筐体の外部に延出した部分に設けられたつまみを用いて回動可能であることを特徴とする記録装置。
【請求項５】
請求項１乃至４のいずれか一項に記載の記録装置において、
前記支持面と前記ノズル面とは、
重力方向に対して所定の勾配を有することを特徴とする記録装置。
【発明の詳細な説明】
【技術分野】
【０００１】
本発明は、記録装置に関する。
【背景技術】
【０００２】
従来、キャリッジと当該キャリッジに搭載された記録ヘッド等を備えるインクジェットプリンターが知られている。当該インクジェットプリンターのメンテナンス領域部には、記録ヘッドの下面を照射可能な光源が配置されている（例えば、特許文献１参照）。
【先行技術文献】
【特許文献】
【０００３】
【特許文献１】特開２０１７−１５９４６２号公報
【発明の概要】
【発明が解決しようとする課題】
【０００４】
しかしながら、上記インクジェットプリンターでは、光源の寿命等により光源の交換の必要性が発生するため、コストアップしてしまう、という課題があった。
【課題を解決するための手段】
【０００５】
本願の記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、を備え、前記記録ヘッドは、前記メディアに記録が実行される記録領域と、前記搬送方向に交差する幅方向において前記記録領域と隣り合う退避領域と、に移動可能であり、前記退避領域には、前記退避領域の外部から入射する光を前記ノズル面に向けて反射する反射部が設けられていることを特徴とする。
【０００６】
上記記録装置の前記反射部は、ハーフミラーであることが好ましい。
【０００７】
上記記録装置の前記反射部は、凹面鏡であることが好ましい。
【０００８】
上記記録装置では、前記退避領域は、箱状の筐体の内部に位置し、前記筐体には、前記ノズル面と直交する直交方向に設けられ、前記ノズル面を視認可能な開口と、前記反射部を回動可能に支持する支軸が貫通する孔部と、が設けられ、前記反射部は、前記支軸のうち前記孔部を介して前記筐体の外部に延出した部分に設けられたつまみを用いて回動可能であることが好ましい。
【０００９】
上記記録装置では、前記支持面と前記ノズル面とは、重力方向に対して所定の勾配を有することが好ましい。
【図面の簡単な説明】
【００１０】
【図１】プリンター（記録装置）の構成を示す斜視図。
【図２】プリンター（記録装置）の構成を示す側面図。
【図３】プリンター（記録装置）の構成を示す側面図。
【図４】プリンター（記録装置）の構成を示す概略図。
【図５】プリンター（記録装置）の構成を示す一部拡大図。
【図６】プリンター（記録装置）の構成を示す一部拡大図。
【図７】反射部の構成を示す概略図。
【図８】プリンター（記録装置）の構成を示す一部拡大図。
【図９】変形例１にかかるプリンター（記録装置）の構成を示す一部拡大図。
【発明を実施するための形態】
【００１１】
以下、本発明の実施形態について、図面を参照して説明する。なお、以下の各図においては、各部材等を認識可能な程度の大きさにするため、各部材等の尺度を実際とは異ならせて示している。
【００１２】
まず、記録装置の構成について説明する。なお、本実施形態では、記録装置としてのインクジェットプリンター（以下、プリンターという）を例にして説明する。尚、本実施形態にかかるプリンターは、例えば、Ａ３プラス（ノビ）サイズ以上のシート状の大判の被記録材（以下、単票紙ともいう）やＡ１プラス（ノビ）サイズやＢ０プラス（ノビ）サイズといったロール状の大判のメディアとしての被記録材Ｒ（ロール紙Ｒともいう）に対して記録を実行することができる大型のインクジェットプリンターである。
【００１３】
図１は、プリンターの構成を示す斜視図であり、図２は、プリンターの構成を示す側面図である。図３は、筐体を取り外した状態のプリンターの構成を示す側面図である。図４は、プリンターの構成を示す概略図である。なお、図４は、プリンターの前面側から見た図面である。
【００１４】
図１から図４に示すように、プリンター１００は、プリンター１００の主構成となるプリンター本体３を備えている。該プリンター本体３は、プリンター本体３を覆い隠すことのできる箱状の筐体２によって覆われている。また、上記プリンター本体３の後部寄りの上部には、スピンドルと一対のフランジ状のロール紙押さえによって保持するロール紙Ｒを収納することができるロール紙ホルダー５が設けられている。また、プリンター本体３の前面の一例として左端寄りの部分には各色のインクカートリッジを個別に収容することができる複数のカートリッジスロットを備えたカートリッジホルダー８が設けられている。
また、筐体２のうち、プリンター１００の上方の部分には、筐体２の内部を視認可能な透光部材４が配置されている。作業者は、透光部材４を介してロール紙Ｒへの記録状態を確認することができる。
【００１５】
また、プリンター１００の前面の一例として、右端寄りの部分には各種の操作指令を司る操作パネル９が適宜のブラケットによって支持されて設けられている。また、プリンター本体３には約６０°の前下がり傾斜姿勢で搬送案内板１１が設けられている。該搬送案内板１１は、ロール紙ホルダー５によって保持されているロール紙Ｒを該ロール紙Ｒの搬送方向Ａとなる前部下方に向けて案内している。搬送案内板１１の上流位置には、図３に示すように、搬送案内板１１を一部取り除いて搬送用駆動ローラー１９と搬送用従動ローラー２０とによって構成されている搬送用ローラー２１が設けられている。そして、該搬送用ローラー２１によってロール紙ホルダー５から繰り出されたロール紙Ｒの先端Ｒｆは、搬送方向Ａの下流の記録ポジションとなるプラテン２８（支持部）側に導かれるようになっている。プラテン２８は、搬送されるロール紙Ｒの裏面を支持する支持面２８ａ（図４参照）を有している。
【００１６】
また、プラテン２８の支持面２８ａに対向し、ロール紙Ｒ表面の被記録面に向けて液体の一例であるインクを吐出させて記録を実行する記録ヘッド１３が設けられている。記録ヘッド１３は、複数の孔（ノズル）を有したノズル面１３ａを有している。なお、記録ヘッド１３のインクの吐出方式は、ピエゾ方式や、インクを加熱して発生した泡（バブル）によりインクを吐出させる方式等を用いることができる。記録ヘッド１３は記録ヘッド１３の上方に設けられるキャリッジ１０と一体になってガイドバー１８に倣って主走査方向となるプリンター本体３の幅方向（ロール紙Ｒの搬送方向に交差する方向、または、被記録材の幅方向）Ｂに往復移動できるようになっている。本実施形態では、支持面２８ａとノズル面１３ａとは、重力方向に対して所定の勾配を有している。すなわち、記録ヘッド１３は重力方向に対して傾斜した姿勢でロール紙Ｒ表面に対してインクを吐出する構成である。
また、プラテン２８のロール紙Ｒの搬送方向下流には案内部材３１が配置されている。案内部材３１は、上記プラテン２８とほぼ同じ幅寸法を有する底面が開放されたロール紙Ｒの搬送案内部材である。なお、ノズル面１３ａが常に重力方向に対して所定の勾配を有する必要は無く、メンテナンスを行う際にのみノズル面１３ａを傾けることができるような機構を設けてもよい。
【００１７】
また、図４に示すように、記録ヘッド１３は、幅方向Ｂにおいて、ロール紙Ｒに記録が実行される記録領域ＰＬと、ロール紙Ｒの搬送方向に交差する幅方向Ｂにおいて記録領域ＰＬと隣り合う退避領域ＮＰＬと、に移動可能である。なお、退避領域ＮＰＬは、記録領域ＰＬと同様に筐体２の内部に位置している。
【００１８】
記録領域ＰＬは、記録が実行可能なプラテン２８を含む領域である。退避領域ＮＰＬは、記録領域ＰＬと隣り合っており、幅方向Ｂにおいて記録領域ＰＬ以外の領域である。本実施形態では、記録領域ＰＬに対して幅方向Ｂの一方側の退避領域ＮＰＬに第１退避領域ＮＰＬ１が設けられ、記録領域ＰＬに対して幅方向Ｂの他方側の退避領域ＮＰＬに第２退避領域ＮＰＬ２が設けられている。第１退避領域ＮＰＬ１及び第２退避領域ＮＰＬ２は、記録ヘッド１３のメンテナンスが行われる領域である。
【００１９】
具体的には、第１退避領域ＮＰＬ１は、主に、記録ヘッド１３のノズル面１３ａの状態を視覚によって確認したり、ノズル面１３ａに直交する記録ヘッド１３の側面部等に付着した汚れを拭き取る等のメンテナンスを行ったりする領域である。そして、第１退避領域ＮＰＬ１には、第１退避領域ＮＰＬ１の外部から入射する光を、第１退避領域ＮＰＬ１に退避したノズル面１３ａに向けて反射する反射部７０が設けられている。なお、反射部７０の構成等については後述する。
第２退避領域ＮＰＬ２には、メンテナンスユニット９０が設けられている。第２退避領域ＮＰＬ２は、メンテナンスユニット９０を用いて記録ヘッド１３に対して各種メンテナンスを行う領域である。メンテナンスユニット９０は、キャッピング部９１やワイピング部９２を備えている。キャッピング部９１は、キャップ部を備え、プリンター１００が稼動していない時に、記録ヘッド１３に対してキャップ部を密着させてキャッピングし、インクが乾燥してノズルが詰まるなどの不具合が生じないようにする。また、記録ヘッド１３が対向した状態でノズルからインクを吐出させ、ノズルの吐出状態を常に良好な状態にするフラッシングを行うことも可能である。ワイピング部９２は、ワイパーを有し、フラッシング後やキャッピング時にノズルやノズル面１３ａに付着したインク等をワイパーで拭い、ノズルの清浄な状態を維持する。
【００２０】
また、プラテン２８の上方には、プラテン２８に向けて光を照射する照射部８０が配置されている。照射部８０は、フレーム８１とフレーム８１に設置された複数の発光部材８２（例えば、発光ダイオード等）とを有している。複数の発光部材８２は、プラテン２８と対向するように配置される。照射部８０は、記録領域ＰＬを照射可能である。これにより、作業者は、筐体２の外側から透光部材４を介してロール紙Ｒに記録された画像を確認することができる。
【００２１】
次に、反射部７０の構成について説明する。
図５は、プリンターの構成を示す一部拡大図であり、第１退避領域ＮＰＬ１に記録ヘッド１３を移動させた状態を示す側面図である。図６は、プリンターの構成を示す一部拡大図であり、第１退避領域ＮＰＬ１における反射部７０の構成を示す模式図である。なお、図６は、プリンターの背面側からみた図である。図７は、反射部７０の構成を示す概略図である。
【００２２】
図５に示すように、筐体２内部の第１退避領域ＮＰＬ１には、ノズル面１３ａと対向する方向に、第１退避領域ＮＰＬ１の外部から入射する光をノズル面１３ａに向けて反射する反射部７０が設けられている。
本実施形態の反射部７０は平板状の鏡である。反射部７０のノズル面１３ａと対向する面は平坦な反射面７１を成しており、第１退避領域ＮＰＬ１の外部から入射する光は反射面７１で反射し、反射した光がノズル面１３ａに向けて照射される。
【００２３】
本実施形態では、反射部７０は、第１退避領域ＮＰＬ１の外部から入射する光として、記録領域ＰＬを照射するように配置された照射部８０から入射された光を、第１退避領域ＮＰＬ１に退避したノズル面１３ａに向けて反射する。図６に示すように、プリンターの背面側から見て第１退避領域ＮＰＬ１と記録領域ＰＬとの間には、記録ヘッド１３の移動に対して妨げとならない位置に、複数の発光部材８２が設置されたフレーム８１を支持する板状の支持板８５が配置されている。当該支持板８５の一部には貫通孔８６が形成されている。これにより、記録領域ＰＬに設置された発光部材８２から照射された光は、貫通孔８６を通って第１退避領域ＮＰＬ１に配置された反射部７０に到達可能となる。なお、記録領域ＰＬを照射可能に発光部材８２の設置ができれば、本実施形態以外の構成であってもよい。例えば、支持板８５の配置は、第１退避領域ＮＰＬ１と記録領域ＰＬとの間ではなくてもよい。
【００２４】
また、図７に示すように、反射部７０には、反射部７０を回動可能な回動部１２０が接続されている。回動部１２０は、支軸１２１とつまみ１２２とを備えている。
支軸１２１は、反射部７０を回動可能に支持する。支軸１２１は、略円柱状の棒状を成し、支軸１２１の一方端側の円周面が反射部７０の反射面７１とは反対側の裏面７２に沿って設置されている。本実施形態では、支軸１２１の一方端部は反射部７０の裏面７２の中央部分に設置されている。
また、支軸１２１の他方端部にはつまみ１２２が設けられている。つまみ１２２は作業者が摘み持つために取り付けた取っ手である。
筐体２には、支軸１２１が貫通する孔部（図示せず）が設けられている。当該孔部には、例えば、ゴム製のシール部が設置され、当該シール部によって支軸１２１は回動可能に支持される。そして、回動部１２０のうち、つまみ１２２部分が筐体２の外部に突出する。すなわち、上記孔部を介して筐体２の外部に延出した部分につまみ１２２が設けられる。従って、作業者は、筐体２の外部からつまみ１２２を支軸１２１の軸中心に回転移動させることにより、反射部７０を回動させることができる。これにより、支軸１２１を軸中心に反射部７０を回転移動させることにより、ノズル面１３ａに対する光の照射角度を変更することができる。
【００２５】
なお、上記では反射部７０を鏡として説明したが、反射部７０がハーフミラー（半透鏡）であってもよい。ハーフミラーは、入射する光の一部を反射し、一部を透過する鏡である。従って、第１退避領域ＮＰＬ１においてノズル面１３ａを見たときに、反射部７０がノズル面１３ａの一部に重なってしまう場合であっても、ハーフミラーを用いることで、外部から入射した光を反射してノズル面１３ａに照射させると同時に、ハーフミラーを介してノズル面１３ａを視認することが可能となる。
【００２６】
ここで、図８を用いて、第１退避領域ＮＰＬ１における記録ヘッド１３のメンテナンス方法について説明する。なお、図８は、プリンターの構成を示す一部拡大図であり、第１退避領域ＮＰＬ１に記録ヘッド１３を移動させた状態を示す側面図である。
【００２７】
まず、第１退避領域ＮＰＬ１において記録ヘッド１３のメンテナンスを行う場合には、記録ヘッド１３を第１退避領域ＮＰＬ１に移動させる。そして、筐体２を構成する一部分２ａ（例えば、筐体２の背面部分（図５参照））を取り外す。一部分２ａを取り外すことで、プリンター１００の背面側に開口１２５が形成される。作業者は、開口１２５からノズル面１３ａを視認可能となる。なお、本実施形態の開口１２５の配置位置は、ノズル面１３ａと直交する直交方向に対応する。本実施形態では、ノズル面１３ａが重力方向に対して所定の勾配を有しているため、作業者は、楽な姿勢でノズル面を直視することが可能となり、開口１２５からノズル面１３ａを視認しやすい。
【００２８】
そして、作業者はノズル面１３ａの確認や記録ヘッド１３の側面部等に付着した汚れを拭き取る。この際、発光部材８２から照射された光の一部が反射部７０に反射し、反射光がノズル面１３ａに当たる。そして、ノズル面１３ａを含む周辺部分が明るく照らされ、視認性が向上する。これにより、例えば、記録ヘッド１３に付着した汚れを拭き取る際、ノズル面１３ａへの不用意な接触を防止することができる。そして、ノズル面１３ａやノズルの損傷、ノズル面１３ａへの異物付着を防止することができる。また、ノズル面１３ａを含む記録ヘッド１３の状態を詳細に視認することが可能となり適正なメンテナンスを行うことができる。
【００２９】
また、ノズル面１３ａの形態や第１退避領域ＮＰＬ１の外部から入射される光の入射角によっては、作業者にとって確認したい部分に光が照射されない場合が考えられる。この場合、つまみ１２２を回動する。これにより、反射部７０が回動し、ノズル面１３ａに対する反射角度が変更可能となる。従って、作業者は、所望の位置に光が照射されるように反射部７０の位置調整を容易に行い、所望する位置に光を照射させることができる。
【００３０】
また、作業者がノズル面１３ａを見たときに、反射部７０がノズル面１３ａの一部に重なってしまう場合が考えられる。この場合、反射部７０としてハーフミラーを用いることで、第１退避領域ＮＰＬ１の外部から入射した光を反射してノズル面１３ａに照射させると同時に、ハーフミラーを介してノズル面１３ａを視認することが可能となる。
【００３１】
以上、本実施形態によれば、以下の効果を得ることができる。
【００３２】
上記プリンター１００では、第１退避領域ＮＰＬ１に反射部７０を設置した。ここで、反射部７０は、鏡やハーフミラーである。このため、電気により発光する光源を設置する場合と比較して、電気的な寿命が無く、反射部７０自体を定期交換する頻度が少ない。従って、第１退避領域ＮＰＬ１に別途光源を設ける場合と比べ、光源交換等によるコストアップを抑制できる。
【００３３】
なお、本発明は上述した実施形態に限定されず、上述した実施形態に種々の変更や改良等を加えることが可能である。変形例を以下に述べる。
【００３４】
（変形例１）上記実施形態では、反射部７０は、平板状の鏡としたが、これに限定されない。図９は、本変形例にかかるプリンター（記録装置）の構成を示す一部拡大図である。図９に示すように、反射部１７０は、凹面鏡であってもよい。凹面鏡は、反射面１７１が凹状となった球面鏡である。そして、ノズル面１３ａと対向する側に反射面１７１が配置される。反射部１７０は凹面鏡であるので、集光性を高め、光束密度を大きくすることができる。従って、明るさが向上し、ノズル面１３ａの視認性を高めることができる。
【００３５】
（変形例２）上記実施形態では、反射部７０は筐体２の内部に配置された照射部８０から入射された光を反射させたが、これに限定されない。第１退避領域ＮＰＬ１の外部から入射される光として、筐体２の外部からの光（外光（自然光）、室内照明光等）を用いてもよい。この場合、透光部材４を介して筐体２の内部に入射される光を用いることも可能である。このようにしても、上記同様の効果を得ることができる。
【００３６】
（変形例３）上記実施形態では、記録領域ＰＬに対して幅方向Ｂの両側のそれぞれに第１退避領域ＮＰＬ１と第２退避領域ＮＰＬ２を設けたが、これ限定されない。記録領域ＰＬに対して幅方向Ｂの一方側または他方側に第１退避領域ＮＰＬ１及び第２退避領域ＮＰＬ２を備えてもよい。すなわち、退避領域を一か所にしてもよい。このようにしても、上記同様の効果を得ることが出来る。
【００３７】
（変形例４）上記実施形態においては、記録装置としてインクを吐出するプリンターについて説明したが、インク以外の液体（液滴）を吐出（もしくは噴射）する形態であってもよい。例えば、液晶ディスプレイ、有機ＥＬ（エレクトロルミネッセンス）ディスプレイ、面発光ディスプレイ、カラーフィルターの製造などに用いられる電極材や色材などの材料を分散又は溶解の形で含有する液体（機能液）を吐出するプリンターであってもよい。
【００３８】
なお、液体を吐出させる構成として、液体が粒状の状態で飛行するように液体を吐出させる構成や、液体を涙状の状態で飛行するように液体を吐出させる構成、液体が糸状に尾を引いた状態で飛行するように液体を吐出させる構成等が想定される。
【００３９】
また、液体としては、記録装置が吐出させることができるような液状の材料であればよい。例えば、粘性の高い又は低い液状体、ゾル、ゲル水、その他の無機溶剤、有機溶剤、溶液、液状樹脂、液状金属（金属融液）のような流状態のもの、また物質の一状態としての液体のみならず、顔料や金属粒子などの固形物からなる機能材料の粒子が溶媒に溶解、分散又は混合されたもの等を想定している。
【００４０】
以下に、実施形態から導き出される内容を記載する。
【００４１】
記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、を備え、前記記録ヘッドは、前記メディアに記録が実行される記録領域と、前記搬送方向に交差する幅方向において前記記録領域と隣り合う退避領域と、に移動可能であり、前記退避領域には、前記退避領域の外部から入射する光を前記ノズル面に向けて反射する反射部が設けられていることを特徴とする。
【００４２】
この構成によれば、記録ヘッドを退避領域に移動させた状態において、外部から入射した光は反射部によって反射し、反射した光はノズル面を照射する。これにより、退避領域に光源を設置しなくてもノズル面の視認性を担保する明るさが確保される。従って、退避領域にノズル面を照射するための光源を別途設置する必要がない。よって、退避領域に別途光源を設置する場合に比べ、光源の寿命等による光源交換の必要がないため、コストを抑制することができる。
【００４３】
上記記録装置の前記反射部は、ハーフミラーであることが好ましい。
【００４４】
退避領域においてノズル面を見たときに、反射部がノズル面の一部に重なってしまい、ノズル面が見えづらくなる場合がある。上記構成によれば、反射部としてハーフミラーを用いるため、外部から入射した光が反射してノズル面に照射されると同時に、ハーフミラーを介してノズル面を視認することが可能となる。
【００４５】
上記記録装置の前記反射部は、凹面鏡であることが好ましい。
【００４６】
この構成によれば、凹面鏡を反射部に用いるため、集光性を高め、光束密度を大きくすることができる。従って、明るさが向上し、ノズル面の視認性を高めることができる。
【００４７】
上記記録装置では、前記退避領域は、箱状の筐体の内部に位置し、前記筐体には、前記ノズル面と直交する直交方向に設けられ、前記ノズル面を視認可能な開口と、前記反射部を回動可能に支持する支軸が貫通する孔部と、が設けられ、前記反射部は、前記支軸のうち前記孔部を介して前記筐体の外部に延出した部分に設けられたつまみを用いて回動可能であることが好ましい。
【００４８】
この構成によれば、反射部を回動できるため、作業者が必要に応じて光の向きを変えることができる。
【００４９】
上記記録装置では、前記支持面と前記ノズル面とは、重力方向に対して所定の勾配を有することが好ましい。
【００５０】
この構成によれば、支持面が重力方向に対して所定の勾配を有するように構成することにより、支持面に対向するノズル面も重力方向に対して所定の勾配を有するように構成することができる。これにより、ノズル面が重力方向と交差する水平面と平行に配置される場合よりも、作業者は楽な姿勢でノズル面を直視することが可能になるため、ノズル面に勾配がある分だけノズル面を視認しやすくなる。
【符号の説明】
【００５１】
２…筐体、２ａ…一部分（筐体）、４…透光部材、１０…キャリッジ、１３…記録ヘッド、１３ａ…ノズル面、２８…プラテン（支持部）、２８ａ…支持面、７０，１７０…反射部、７１，１７１…反射面、７２…裏面、８０…照射部、８１…フレーム、８２…発光部材、８５…支持板、８６…貫通孔、９０…メンテナンスユニット、１００…プリンター（記録装置）、１２０…回動部、１２１…支軸、１２２…つまみ、１２５…開口、ＰＬ…記録領域、ＮＰＬ１…第１退避領域、ＮＰＬ２…第２退避領域。
【図１】
2019155709.tif 000003
【図２】
2019155709.tif 000004
【図３】
2019155709.tif 000005
【図４】
2019155709.tif 000006
【図５】
2019155709.tif 000007
【図６】
2019155709.tif 000008
【図７】
2019155709.tif 000009
【図８】
2019155709.tif 000010
【図９】
2019155709.tif 000011